(57)【要約】      （修正有）【課題】温気体がカーテン内に効率よく導入されるとともに、カーテンの開閉操作がスムースに行われる構造を提供する。【解決手段】温室１の天井２に沿って配置される二重のフィルム１１からなるカーテン１０，１０′と該カーテン内に気体を送り込んで膨隆させるブロワー２０，２０′からなる温室カーテンとブロワーの組み合わせ構造。カーテンの中央部直下にブロワーを取り付け、ブロワーにより気体を導入するカーテンが折り曲げと通気手段を備える。【選択図】図１
0003148792.tif 000002
【実用新案登録請求の範囲】
【請求項１】
温室の天井に沿って配置される二重のフィルムからなるカーテンと該カーテン内に気体を送り込んで膨隆させるブロワーからなる温室カーテンとブロワーの組み合わせ構造であって、カーテンの中央部直下にブロワーを取り付け、該ブロワーにより気体を導入するカーテンが折り曲げと通気手段を有してなることを特徴とする温室カーテンとブロワーの組み合わせ構造。
【請求項２】
前記カーテンが、中央部寄りに収縮される第一カーテン部と、温室左右の側壁寄りに収縮される第二カーテン部に分かれ、第二カーテン部に、ブロワーから分岐した送気管が接続されるものであることを特徴とする請求項１記載の温室カーテンとブロワーの組み合わせ構造。
【請求項３】
カーテンが温室の左右側壁内側にも配置され、該カーテン内に気体を送り込むブロワーがカーテンと対面状に温室側壁に取り付けられるものであることを特徴とする請求項１又は２記載の温室カーテンとブロワーの組み合わせ構造。
【請求項４】
カーテンの折り曲げ手段が、カーテンに形成された凹陥部であることを特徴とする請求項１〜３記載の温室カーテンとブロワーの組み合わせ構造。
【請求項５】
カーテンの通気手段が、フィルムに形成した無数の微細孔であることを特徴とする請求項１〜４記載の温室カーテンとブロワーの組み合わせ構造。
【請求項６】
温室の天井に沿って配置される二重のフィルムからなるカーテンと該カーテン内に気体を送り込んで膨隆させるブロワーからなるカーテンとブロワーの組み合わせ構造であって、吸込口を天井側に向けた吸気管の下端を低位置にあるブロワーに接続し、該ブロワーからダクトを介して気体をカーテンに送り込むことを特徴とする温室カーテンとブロワーの組み合わせ構造。
【考案の詳細な説明】
【技術分野】
【０００１】  本考案は、カーテン内に効率よく気体を送るのに好適する温室カーテンとブロワーの組み合わせ構造に関する。
【背景技術】
【０００２】  温室で栽培する植物を良好な環境とするために温室の天井等に農業用フィルムからなる透明のカーテンを取り付けて室内温度を適温に保つ方法は従来から採用されている。このカーテンは密封状とした二枚のフィルムで構成され、その中にブロワーを用いて室内の温気体を送り込むというものである（例えば特許文献１参照）。気体を送り込まれたカーテンは膨隆状となって室内空間を遮蔽する機能を有し、それゆえいたずらに温熱が漏出することがなく室内温度が程よく維持される効果がある。ところでカーテン内に気体を送り込むためのブロワーは、温室の支柱に取り付けられる（例えば特許文献２、３参照）のが一般的であるが、特にブロワーの取り付け位置についてはさほど考慮されていないのが実状といえる（例えば特許文献４参照）。
【特許文献１】特開昭５１−４５０３３号公報
【特許文献２】特開平１０−２８４８４号公報
【特許文献３】特開平７−２５５２９１号公報
【特許文献４】特開２００４−１４１０１７号公報
【考案の開示】
【考案が解決しようとする課題】
【０００３】  前記特許文献に記載された温室カーテンは、殆どが通常の二枚フィルムでカーテンを構成するとしたもので、ブロワーはカーテン内に気体を送り込む手段としての機能を持つものであれば取り付け位置に殊更拘泥することはないとの前提に立っているものと理解される。しかしながらブロワーの位置によっては余計な部材を必要としたり、カーテンへの気体の送り込みが煩雑になるなどの問題と、室内温熱を効率的に取り込むことができないなどの不具合もある。また送り込む気体の風圧が大きいと従来のカーテンでは必要以上に膨隆したり、最悪破裂に至るなどの欠点と、カーテンは旧態依然の二枚フィルムからなるものであるため、ブロワーの消費電力が有効に機能し得ないというおそれもあった。すなわちある程度の差があるとはいえ、従来のカーテン構造は特許文献１〜４に記載された域を脱することがなく、空気抜きをする場合はブロワーの稼働を停止し、一般的な手段でカーテンの収縮作業をするものに他ならない。【０００４】  空気抜きをされたカーテンは二重フィルムが密着して扁平形状となるが、このとき内部には温熱により生起した水分が残留して結露状態となりフィルム相互が水分を介して付着することは避けられず、そのため室内を開放してカーテンを１カ所に片寄せする場合に整然と折り畳みができず、収縮作業が円滑になされないだけでなく折り畳み状態からカーテンを伸長する際にも円滑さに欠ける懸念があった。【０００５】  本考案はこのような従来技術に鑑みてなされたもので、カーテンとブロワーの設置位置を効果的なものとして温気体が効率よく導入され、カーテンの可動もスムースに行われる温室カーテンとブロワーの組み合わせ構造を提供することを目的としている。
【課題を解決するための手段】
【０００６】  上記目的を達成するため本考案は、温室の天井に沿って配置される二重のフィルムからなるカーテンと該カーテン内に気体を送り込んで膨隆させるブロワーからなる温室カーテンとブロワーの組み合わせ構造であって、カーテンの中央部直下にブロワーを取り付け、該ブロワーにより気体を導入するカーテンが折り曲げと通気手段を有してなることを特徴とする。【０００７】  前記カーテンが、中央部寄りに収縮される第一カーテン部と、温室左右の側壁寄りに収縮される第二カーテン部に分かれ、第二カーテン部に、ブロワーから分岐した送気管が接続されるものであることを特徴とする。【０００８】  カーテンが温室の左右側壁内側にも配置され、該カーテン内に気体を送り込むブロワーがカーテンと対面状に温室側壁に取り付けられるものであることを特徴とする。【０００９】  カーテンの折り曲げ手段が、カーテンに形成された凹陥部であることを特徴とする。【００１０】  カーテンの通気手段が、フィルムに形成した無数の微細孔であることを特徴とする。【００１１】  温室の天井に沿って配置される二重のフィルムからなるカーテンと該カーテン内に気体を送り込んで膨隆させるブロワーからなるカーテンとブロワーの組み合わせ構造であって、吸込口を天井側に向けた吸気管の下端を低位置にあるブロワーに接続し、該ブロワーからダクトを介して気体をカーテンに送り込むことを特徴とする。
【考案の効果】
【００１２】  ブロワーがカーテンの中央部直下に取り付けられると、天井側の温気体が直にカーテン内に導入されるのでカーテンよって室内の温度が保たれ植物に好影響を与えることができる。またブロワー設置に余分な占有空間を必要とすることがないため他の部材の取り付けに支障を生ずることがなく、温室内部もすっきりとした外観を呈する。【００１３】  ブロワーの稼働を停止するとカーテン内は空気抜きされて扁平形状となり従来品では内部に水分が滞留することがあって二重のフィルム同士が付着し、カーテン折り畳み時にスムースな動きができない不具合があるが、本考案のカーテンには通気手段を有しているため水分発生が起きず、このためフィルム同士が付着することがなくカーテンの作動が滞ることがない。加えてカーテンには折り曲げ手段もあるのでカーテンの折り畳み・収縮を確実迅速にする効果がある。【００１４】  天井側の温気体は吸気管を用いて低位置にあるブロワーで取り込むことも可能である。この場合のブロワーは温室側壁に取り付けてもよく、ブロワーからダクトを介してカーテン内に温気体が導入されることで室内温度が維持される。
【考案を実施するための最良の形態】
【００１５】  図面を参照して実施の形態を説明すると、図１は温室１内のカーテン１０とブロワー２０の組み合わせを示す本考案の概略を示すもので、カーテン１０は上下二重のフィルム１１からなり、温室１の天井部２に沿い山形状に配置されるが天井部２と必ずしも平行となるものではなく、またカーテン１０の取り付け手段は一般的な手法が用いられる。【００１６】  ブロワー２０はカーテン１０内に気体を送り込んで膨隆させるもので、図示のようにカーテン１０の中央部Ｍ直下に取り付けられる。カーテン１０が山形状のため中央部Ｍは上方に突出していてこの部分にブロワー２０を取り付けてもカーテン１０以外の部材の設置に妨げとならず、余分なスペースを占領することがないため室内空間がすっきりとする。そしてブロワー２０はカーテン１０と近接した位置に設けられるため気体の送り込み機構が煩雑とならずカーテン１０への接続を容易にするとともに、天井側に滞留している温気体を捕捉して直ちにカーテン内に送り込むことができる。なおブロワー２０は梁材などに周知の方法で固定されるため詳細な説明は省略する。【００１７】  カーテン１０は最近の温室１の大型化に伴い図示のように中央部Ｍ寄りの第一カーテン部１０ａと、温室１の左右側壁３よりの第二カーテン部１０ｂに分かれる構成とすることが普通であり、その場合中央部Ｍより離れた位置となる第二カーテン部１０ｂにはブロワー２０から分岐した送気管２１を接続することが望ましく、こうすることで第二カーテン部１０ｂにも気体が瞬時に行き渡り、また送気停止時にもカーテン全体が同時に空気抜きされて開閉操作が円滑になる。【００１８】  カーテン１０は天井２側だけでなく、左右側壁３・３の内側にも配置することで当然ながら温室１内の保温状態を一層効果的なものとすることができる。この場合サブとしてのブロワー２０′は夫々のカーテン１０′と対面状に左右側壁３に取り付けられる。側壁３は天井２ほどのスペースを要しないためブロワー２０′のみで十分全体に気体を送り込むことができる。【００１９】  カーテン１０は図２に示すとおり、二重のフィルム１１相互が結合部１２により結合される。この結合部１２はフィルム１１同士が密着しない構成でも密着する構成としてもよく、フィルム１１の縦横方向に列設される。こうすることでブロワー２０、２０′からカーテン１０、１０′に気体が送り込まれるとカーテン１０、１０′は結合部１２の個所では凹陥部１３となり、それ以外の個所が膨隆状となる。カーテン１０、１０′に形成された凹陥部１３によりカーテンの膨らみは体操マット状に均一となり、中央部だけが風船のように膨隆することはない。後記するように上記凹陥部１３はカーテン収縮時に折り畳み機能を発揮する。【００２０】  カーテン１０、１０′を構成する二重のフィルム１１には無数の微細孔ｈが形成されている。この微細孔ｈは二重のフィルム１１の室内寄り、すなわち天井側カーテン１０にあっては下部、側壁のカーテン１０′にあっては側壁３と反対側のフィルムに形成すれば足り、上記微細孔ｈによってカーテン１０、１０′に通気機能が発揮される。【００２１】  図３はカーテンを図１の拡開状態から収縮して天井２、側壁３が解放された状態を示して���る。温室１の換気をする場合などはカーテン１０、１０′は収縮しておくが、カーテンを収縮するには先ずブロワー２０、２０′の稼働を停止して空気抜きをする。従来品ではこのときフィルム同士が水分により付着してしまう懸念があったが、本案カーテンには微細孔ｈが形成されていてあらかじめ通気機能が発揮され、水分滞留が起きないためフィルム１１同士が付着することがなく、カーテン動作に異常をきたすことがない。【００２２】  またカーテン１０、１０′には凹陥部１３が形成されているため、この部分がカーテン収縮時に折り畳み機能を発揮する。従来であるとフィルムは平板状のため収縮時にランダムな折り畳みとなってしまうが、本案カーテンに形成された凹陥部１３がカーテン収縮時に折り目の働きをするため空気抜きされたカーテン１０、１０′は整然と折り畳まれ、天井２側のカーテン１０は、第一カーテン部１０ａが中央部Ｍ寄りに、第二カーテン部１０ｂが側壁３寄りに収束され、また側壁３側のカーテン１０′はブロワー２０′の近傍に収縮して寄せられる。【００２３】  ブロワー２０を天井側カーテン１０の直下に取り付けない場合でも図４に示した形態で温気体をカーテン１０内に取り込むことができる。すなわち吸込口を天井２側に向けた吸気管３０の下端を側壁３に取り付けたブロワー２０に接続するもので、該ブロワー２０にはカーテン１０につながるダクト３１が取り付けられていて吸気管３０からブロワー２０、ダクト３１を経て気体がカーテン１０に導入される仕組みとなる。したがって吸気管３０とダクト３１を経るという過程があるものの、天井側温気体を効率よく取り込むことができる点では前述の実施形態と同様の効果が得られる。図中の符号は図１と同一部分を示す。【００２４】  上記のように本考案は温室カーテン１０とブロワー２０の組み合わせ構造を適切なものとすることで温室内の温気体を効率よく活用できて植物の育成に良好な環境を提供でき、またカーテン１０の開閉操作の容易性を確かなものとする。なお前記したブロワー１０の大きさ、フィルム同士の結合部１２の構成などは任意に選択でき、本考案の目的効果を奏する範囲における言及していない構成上の付加、変更なども本考案の実施の範疇に属するものである。
【図面の簡単な説明】
【００２５】
【図１】本考案の概略を示す説明図である。
【図２】フィルム内に気体を送り込んで膨隆したカーテンの説明図である。
【図３】カーテンを収縮状とした本考案の概略説明図である。
【図４】ブロワーを側壁に取り付けた他の例を示す説明図である。
【符号の説明】
【００２６】  １    温室            ２    天井
３    側壁            Ｍ    中央部
１０  カーテン        １０ａ第一カーテン部
１０ｂ第二カーテン部  １０′カーテン
１１  フィルム        １２  結合部
１３  凹陥部          ｈ    微細孔
２０  ブロワー        ２０′ブロワー
２１  送気管          ３０  吸気管
３１  ダクト
【図１】
0003148792.tif 000003
【図２】
0003148792.tif 000004
【図３】
0003148792.tif 000005
【図４】
0003148792.tif 000006
【手続補正書】
【提出日】平成20年11月17日(2008.11.17)
【手続補正１】
【補正対象書類名】実用新案登録請求の範囲
【補正対象項目名】請求項４
【補正方法】変更
【補正の内容】
【請求項４】
カーテンの折り曲げ手段が、カーテンに形成された凹陥部であることを特徴とする請求項１〜３のいずれか１項記載の温室カーテンとブロワーの組み合わせ構造。
【手続補正２】
【補正対象書類名】実用新案登録請求の範囲
【補正対象項目名】請求項５
【補正方法】変更
【補正の内容】
【請求項５】
カーテンの通気手段が、フィルムに形成した無数の微細孔であることを特徴とする請求項１〜４のいずれか１項記載の温室カーテンとブロワーの組み合わせ構造。